(57)【要約】【課題】  従来の表面にトナーによる画像などが形成された転写紙に、トナーと転写紙との付着力を弱める働きをする処理液を塗布したのち、トナーに対する付着力が転写紙より大きい剥離部材を押圧した後、剥離部材を転写紙から分離して転写紙表面のトナーを剥離部材側に付着転移させて転写紙からトナーを除去する像形成物質除去装置は、転写紙からトナーを剥離するための剥離部材と剥離部材を保持搬送する手段と剥離部材に付着したトナーを除去する手段が装置本体に一体となって組み込まれているので、剥離部材に貼り付いた転写紙の除去や剥離部材の清掃交換が非常にやりにくく専門の技術者による作業が必要だった。【解決手段】  剥離部材（以後、剥離ベルト）と剥離ベルトを保持搬送する手段と、剥離ベルトに付着したトナーを除去する手段を一体化（以後、剥離ユニットと）して、この剥離ユニットを着脱可能な手段で本体に取り付ける。【選択図】図１
2005070720.tif 000002
【特許請求の範囲】
【請求項１】
像保持体（以後、転写紙）の表面に像形成物質（以後、トナー）による画像などが形成された転写紙の表面にトナーと転写紙との付着力を弱める働きをする処理液を塗布したのち、トナーに対する付着力が転写紙より大きい剥離部材を押圧し、剥離部材を転写紙から離間して転写紙表面のトナーを剥離部材側に付着転移させて転写紙からトナーを除去する像形成物質除去装置において剥離部材と剥離部材を保持搬送する手段と剥離部材に付着したトナーを除去する手段を一体化したことを特徴とする像形成物質除去装置。
【請求項２】
請求項１の像形成物質除去装置に於いて、剥離部材と剥離部材を搬送する手段と剥離部材に付着したトナーを除去する手段を一体化したものを支持部材に着脱可能せしめる固定手段により固定し、該支持部材が開閉できる本体扉側にスライドする機構としたことを特徴とする像形成物質除去装置。
【請求項３】
請求項１と請求項２記載の像形成物質除去装置に於いて、除去したトナーを回収するパイプの出口に設けた蓋が、本体扉の開閉と連動して開閉することを特徴とする像形成物質除去装置。
【発明の詳細な説明】
【技術分野】
【０００１】  本発明は、複写機、ファクシミリ、プリンター、印刷機等の画像形成装置によってトナーで形成された画像が安定に付着した転写紙からトナーを取り除き、転写紙を再使用可能状態に再生する像形成物質除去装置に関する物である。
【背景技術】
【０００２】  表面にトナーによる画像などが形成された転写紙に、トナーと転写紙との付着力を弱める働きをする処理液を塗布したのち、トナーに対する付着力が転写紙より大きい剥離部材を押圧した後、剥離部材を転写紙から分離して転写紙表面のトナーを剥離部材側に付着転移させて転写紙からトナーを除去する像形成物質除去装置は種々考えられているが、そのいずれもが転写紙からトナーを剥離するための剥離部材と剥離部材を保持搬送する手段と剥離部材に付着したトナーを除去する手段が装置本体に一体となって組み込まれて、像形成物質除去装置を構成していた。
【発明の開示】
【発明が解決しようとする課題】
【０００３】  このような構成では、転写紙が剥離部材に貼りついて巻き込まれたりした場合、転写紙を取り除きにくく、また転写紙を取り除くときに剥離部材に付着したトナーや廃トナーパックのトナーを散乱させて周囲を汚してしまう不具合が有った。【０００４】  しかも、剥離部材の寿命は、表面へ付着した不純物の影響や摩耗で剥離性能が低下するため、装置全体の寿命に比べ非常に短く、時々交換する必要があり、このとき装置全体を分解しなければならず、使用者による剥離部材の交換は容易ではなく、専門の技術を持つ技術者による交換が必要であった。【０００５】  そこで本発明は、剥離部材と剥離部材を保持搬送する手段と剥離部材に付着したトナーを除去する手段を一体化して容易に脱着できる構成として、剥離部材に貼り付いて巻き込まれた転写紙の除去や、剥離部材の更新が容易に実施出来る像形成物質除去装置を提供するためになされたものである。
【課題を解決するための手段】
【０００６】  請求項１の発明は、剥離部材（以後、剥離ベルト）と剥離ベルトを保持搬送する手段と、剥離ベルトに付着したトナーを除去する手段を一体化（以後、剥離ユニットと）して、この剥離ユニットを着脱可能な手段で本体に取り付ける。【０００７】  請求項２の発明は、請求項１の発明の剥離ユニットにスライドする手段を取り付け、開閉できる本体扉側に引き出せる構成とする。【０００８】  請求項３の発明は、剥離ユニットで除去したトナーを回収するパイプの出口に設けた蓋を、本体扉の開閉と連動して開閉する機構を設ける。
【発明の効果】
【０００９】  請求項１の発明の効果は、固定手段を解除すれば剥離ユニット全体を取り出せるので、点検、清掃が容易になる。またユニット交換により剥離ベルトの更新が出来るので使用者は専門の技術が不要になる。
なお、交換した剥離ユニットは、剥離ベルト交換、清掃等の整備を行い新品同様に再生し再利用する。【００１０】  請求項２の発明の効果は、剥離ユニットをスライドして引き出せるので、転写紙の剥離ベルトへの貼り付きが発生しても剥離ベルト部分を操作可能な位置に引き出して転写紙の除去や、剥離ベルト表面の状態確認を容易に行うことが出来る。【００１１】請求項３の発明の効果は、本体カバーを開けるとトナー回収口の蓋が連動して閉まるのでトナー飛散が防止でき、手を汚さずに廃トナー３８を回収廃棄出来る。また、剥離ユニットを引き出す時もトナー回収口からのトナーの飛散を防止できる。
【発明の実施例】
【００１２】  以下、本発明を転写型の電子写真複写機によって像形成物質（以下トナー）による画像が形成された転写紙からトナーを除去する、像形成物質除去装置に適用した実施例について説明する。
本発明の請求項１の実施例を、上面図（図１）と側面図（図２）を用いて説明すると、剥離ユニット側板前１と剥離ユニット側板後２（図１参照）に取り付けたローラ類（図１、図２参照）、入り口ローラ３、剥離ローラ４、寄り補正ローラ５、駆動ローラ６を取り巻くようにエンドレス構造の剥離ベルト７を巻きつけ、剥離ローラ４と駆動ローラ６の間にターンローラ８を取り付けたターンローラ支持部材９を小判形軸１０に嵌着して９０度回転し図２の状態で固定して剥離ローラ４から駆動ローラ６に向かう剥離ベルト７に角度を付けることで転写紙を剥離ベルト７から分離して排紙ガイド１９方向に搬送する。この時トナーが転写紙から剥離ベルト７に付着転移して転写紙の再生が行われる。
【００１３】  駆動ローラ６と寄り補正ローラ５の間にはテンションレバー１３に取り付けられたテンションローラ１２を設け、テンションレバー１３に取り付けた図示しないバネでテンションローラ１２を剥離ベルト７に押し付けて適度な張力を発生させる。
【００１４】  以上のように構成されたものを保持板１４に取り付け、さらにクリーニングユニット１５を駆動ローラ６に巻きついた剥離ベルト７に接触させて取り付けて一体化する。なお、クリーニングユニット１５には剥離ベルト７に付着したトナーを取り除く手段を内蔵しており、取り除かれたトナーは、廃トナーパイプ１６から着脱自在な状態で取り付けられた廃トナーパック２６に排出する。
【００１５】  請求項２の発明は、請求項１の発明の剥離ユニットを取り付けた保持板１４にスライドレール１７を取り付けたものである。
なお、この実施例では左右に取り付けてあるが、剛性の大きさや構成によっては右又は左の片方でも目的を達成することができる。
【００１６】  請求項３の発明の実施例を図３と図４により説明すると、クリーニングユニット１５の廃トナーパイプ１６の出口部分に支点Ａ２０に取り付けた廃トナー出口開閉フタ１８を設け、図示しないバネ性の有るものでなどで出口をふさぐ構成とし、支点Ｂ２１に取り付けた押し出しピン２２を固着した前カバー開閉リンク部材２３が、前カバー２４を矢印Ａ２５方向に開くと、押し出しピン２２が矢印Ａ２５と反対方向に動き、廃トナー出口開閉フタ１８を閉じる。逆に前カバー２４を元に戻し閉じると廃トナー出口開閉フタ１８を開く。
【００１７】  図５は以上のように構成された本発明の剥離ユニットを搭載した像形成物質除去装置の模式図である。保持板１４に取り付けられたスライドレール１７の固定側は像形成物質除去装置の本体側に取り付けられており、剥離ユニットは図面の手前方向に引き出せる構成になっている。この像形成物質除去装置によってトナーによる画像が形成された転写紙から、トナーを除去する動作の概略は、給紙ユニット２７に装填された転写紙２８を、給紙ローラ２９により一枚づつ分離し、搬送ローラ対３５で処理液塗布ユニット３０に給送して処理液３６を塗布し、ヒータローラ３２で加熱しながら、剥離ベルト７を間に挟んで回転する剥離ローラ４に圧接させてトナーを転写紙から剥離ベルト７に付着転移させて取り除き、排紙トレー３７に排出する。剥離ベルト７に付着したトナーはクリーニングユニット１５で取り除き、廃トナーパイプ１６から廃トナーパック２６に排出する。
【００１８】  剥離ユニットの点検や交換を行う時、脱着は次のように行う。
（１）加熱ユニット３１を開けて、ヒータローラ３２を剥離ローラ４から離す。
（２）前カバー２４を開くと廃トナーパイプ１６の蓋が閉じる。（図３参照）
（３）図示しない保持板１４のロック機構を解除し、剥離ユニットを手前側に引き出すと図１の様な状態で引き出すことが出来る。
（４）剥離ユニットストッパー３３を固定しているツマミネジ３４を外す。
（５）剥離ユニットストッパー３３を手前側に引き、図示しない剥離ユニット側板曲げ部に設けた脱落防止機構を解除し、脱着用取手１１を持って取り外す。
（６）取り付け時は、逆の手順で行う。
【００１９】  交換した剥離ユニットの剥離ベルト７の交換方法は次のように行う。
（１）クリーニングユニット１５を外す。
（２）テンションレバー１３の図示しないバネを外し、テンションローラ１２を外す。
（３）小判形軸１０に取り付けてあるターンローラ８の取り付いたターンローラ支持部材９を右方向に９０°回転し、上方向に引き抜いて外す。
（４）剥離ベルト７が、ベルトの弾性力で楕円状の形状になるので剥離ユニットから剥離ベルト７を外す。
（５）ローラ類の清掃、各部点検等の整備を行い新しい剥離ベルトを装着する。
（６）（３）の工程で外したターンローラ支持部材９を小判形軸１０に嵌着して左方向に９０°回転する。
（７）テンションレバー１３にテンションローラ１２とバネを取り付ける。
（８）クリーニングユニット１５を取り付ける。
【図面の簡単な説明】
【００２０】
【図１】は剥離ユニットの上面図である。
【図２】は剥離ユニットの側面図である。
【図３】はトナー回収口フタを開閉する機構の側面図である。
【図４】はトナー回収口フタを開閉する機構の正面図である。
【図５】は剥離ユニットを装着した像形成物質除去装置の模式図である。
【符号の説明】
【００２１】１  剥離ユニット側板前
２  剥離ユニット側板後
３  入り口ローラ
４  剥離ローラ
５  寄り補正ローラ
６  駆動ローラ
７  剥離ベルト
８  ターンローラ
９  ターンローラ支持部材
１０  小判形軸
１１  脱着用取手
１２  テンションローラ
１３  テンションレバー
１４  保持板
１５  クリーニングユニット
１６  廃トナーパイプ
１７  スライドレール
１８  廃トナー出口開閉フタ
１９  排紙ガイド
２０  支点Ａ
２１  支点Ｂ
２２  押し出しピン
２３  前カバー開閉リンク部材
２４  前カバー
２５  矢印Ａ
２６  廃トナーパック
２７  給紙ユニット
２８  転写紙
２９  給紙ローラ
３０  処理液塗布ユニット
３１  加熱ユニット
３２  ヒータローラ
３３  剥離ユニットストッパー
３４  ツマミネジ
３５  搬送ローラ対
３６  処理液
３７  排紙トレー
３８  廃トナー
【図１】
2005070720.tif 000003
【図２】
2005070720.tif 000004
【図３】
2005070720.tif 000005
【図４】
2005070720.tif 000006
【図５】
2005070720.tif 000007